(57)【特許請求の範囲】
【請求項１】
店舗情報が掲載されたページと店舗位置を示す地図が掲載された地図ページを有する店舗情報冊子の作成工程において、コンピュータにより地図上に店舗に関する情報を登録する方法であって、
地図情報を表示するとともに、表示された地図上の店舗位置にキー情報入力欄を配置する段階と、
前記キー情報入力欄に入力されたキー情報と、当該キー情報入力欄の配置された位置を対応付ける段階と、
前記キー情報を記録したフィールド、掲載番号を記録するフィールドに加え、他のフィールドを含む店舗データのレコードを、前記他のフィールドのうち指定されたフィールドに従ってソートする段階と、
ソート後のレコードの順序に従って店舗データ内の掲載番号フィールドに掲載番号を記録する段階と、
前記キー情報に対応する掲載番号を、前記キー情報に代えて前記地図上のキー情報入力欄に流し込む段階と、
を有することを特徴とする店舗情報登録方法。
【請求項２】
店舗情報が掲載されたページと店舗位置を示す地図が掲載された地図ページを有する店舗情報冊子の作成工程において、コンピュータにより地図上に店舗に関する情報を登録する方法であって、
地図情報を表示するとともに、表示された地図上の店舗位置にキー情報入力欄を配置する段階と、
前記キー情報入力欄に入力されたキー情報と、当該キー情報入力欄の配置された位置を対応付ける段階と、
前記店舗情報が掲載されたページにおける掲載位置と前記キー情報との関係を示す掲載データを読み込み、掲載位置に従って掲載順を決定して前記キー情報に掲載番号を割り振る段階と、
前記キー情報に割り振られた掲載番号を、前記キー情報に代えて前記地図上のキー情報入力欄に流し込む段階と、
を有することを特徴とする店舗情報登録方法。
【請求項３】
キー情報を記録したフィールド、掲載番号を記録するフィールドに加え、他のフィールドを含む店舗データと、地図データとを管理するデータベースと、
前記地図データを表示する表示手段と、
前記店舗データ、地図データに関する種々の入力・指示等を行なう入力指示手段と、
前記地図データ上に入力されたキー情報と、当該キー情報が入力された位置を対応付ける手段と、
前記店舗データのレコードを、前記他のフィールドのうち指定されたフィールドに従ってソートする手段と、
ソート後のレコードの順序に従って前記店舗データ内の掲載番号フィールドに掲載番号を記録する手段と、
前記キー情報に対応する掲載番号を、前記キー情報に代えて前記地図データ上に流し込み入力する手段と、
を有することを特徴とする店舗情報登録システム。
【請求項４】
キー情報を記録したフィールド、掲載番号を記録するフィールドに加え、他のフィールドを含む店舗データと、地図データとを管理するデータベースと、
前記地図データを表示する表示手段と、
前記店舗データ、地図データに関する種々の入力・指示等を行なう入力指示手段と、
前記地図データ上に入力されたキー情報と、当該キー情報が入力された位置を対応付ける手段と、
前記店舗情報が掲載されたページにおける掲載位置と前記キー情報との関係を示す掲載データを読み込み、掲載位置に従って掲載順を決定して前記キー情報に掲載番号を割り振る手段と、
前記キー情報に割り振られた掲載番号を、前記キー情報に代えて前記地図データ上に流し込み入力する手段と、
を有することを特徴とする店舗情報登録システム。
【発明の詳細な説明】
【０００１】
【産業上の利用分野】
本発明は、地図上に店舗位置が示されているような情報誌を効率的に作成するための店舗情報登録方法および店舗情報登録システムに関する。
【０００２】
【従来の技術】
今日では、飲食店や販売店等の店舗が掲載された情報冊子が多数発行されている。このような店舗情報冊子には店舗情報が掲載されているだけでなく、地図が掲載されており、この地図上に店舗の位置が示されている。地図上に店舗の位置が示されていることにより、店舗情報冊子の利用者は容易に店舗の位置を理解できることになる。
【０００３】
現状では、このような店舗情報冊子の作成は、店舗情報の掲載番号を人手により地図上に記載することにより行っている。記載した掲載番号の修正を最小限にするために、地図上に掲載番号を記載するのは全ての掲載順が決定した後に行っている。それでも、店舗情報の変更や削除に伴い、記載後に掲載順が変更された場合は、店舗情報の掲載番号を詰めて振り直し、それに伴って地図上の掲載番号を変更している。店舗情報の急な変更により店舗情報冊子の納期に間に合わない場合は、最終的には削除された掲載番号を抜け番にしたり、店舗情報が抜けた部分に広告などの別の情報で埋めるなどして、地図上の変更を行わないようにしている。
【０００４】
【発明が解決しようとする課題】
上記従来の手法では、店舗情報の掲載順が決定するまで、地図上に掲載番号を記載することができないため、店舗情報ページの作成と地図ページの作成を同時進行することができない。また、上記のように、急な変更による最終的な対応はその場しのぎであり、根本的な解決にはなっていない。
【０００５】
上記のような点に鑑み、本発明は店舗情報ページと地図情報ページ作成の同時進行を可能とし、店舗情報冊子の作成工程および掲載情報変更後の校正工程の負荷を軽減させることが可能な店舗情報登録方法および店舗情報登録システムを提供することを課題とする。
【０００６】
【課題を解決するための手段】
上記課題を解決するため、請求項１に記載の発明では、店舗情報が掲載されたページと店舗位置を示す地図が掲載された地図ページを有する店舗情報冊子の作成工程において、コンピュータにより地図上に店舗に関する情報を登録する方法として、地図情報を表示するとともに、表示された地図上の店舗位置にキー情報入力欄を配置する段階と、前記キー情報入力欄に入力されたキー情報と、当該キー情報入力欄の配置された位置を対応付ける段階と、前記キー情報を記録したフィールド、掲載番号を記録するフィールドに加え、他のフィールドを含む店舗データのレコードを、前記他のフィールドのうち指定されたフィールドに従ってソートする段階と、ソート後のレコードの順序に従って店舗データ内の掲載番号フィールドに掲載番号を記録する段階と、前記キー情報に対応する掲載番号を、前記キー情報に代えて前記地図上のキー情報入力欄に流し込む段階を有することを特徴とする。
【０００７】
請求項２に記載の発明では、店舗情報が掲載されたページと店舗位置を示す地図が掲載された地図ページを有する店舗情報冊子の作成工程において、コンピュータにより地図上に店舗に関する情報を登録する方法として、地図情報を表示するとともに、表示された地図上の店舗位置にキー情報入力欄を配置する段階と、前記キー情報入力欄に入力されたキー情報と、当該キー情報入力欄の配置された位置を対応付ける段階と、前記店舗情報が掲載されたページにおける掲載位置と前記キー情報との関係を示す掲載データを読み込み、掲載位置に従って掲載順を決定して前記キー情報に掲載番号を割り振る段階と、前記キー情報に割り振られた掲載番号を、前記キー情報に代えて前記地図上のキー情報入力欄に流し込む段階を有することを特徴とする。
【０００８】
請求項３に記載の発明では、店舗情報登録システムとして、キー情報を記録したフィールド、掲載番号を記録するフィールドに加え、他のフィールドを含む店舗データと、地図データとを管理するデータベースと、前記地図データを表示する表示手段と、前記店舗データ、地図データに関する種々の入力・指示等を行なう入力指示手段と、前記地図データ上に入力されたキー情報と、当該キー情報が入力された位置を対応付ける手段と、前記店舗データのレコードを、前記他のフィールドのうち指定されたフィールドに従ってソートする手段と、ソート後のレコードの順序に従って前記店舗データ内の掲載番号フィールドに掲載番号を記録する手段と、前記キー情報に対応する掲載番号を、前記キー情報に代えて前記地図データ上に流し込み入力する手段を有することを特徴とする。また、請求項４に記載の発明では、店舗情報登録システムとして、キー情報を記録したフィールド、掲載番号を記録するフィールドに加え、他のフィールドを含む店舗データと、地図データとを管理するデータベースと、前記地図データを表示する表示手段と、前記店舗データ、地図データに関する種々の入力・指示等を行なう入力指示手段と、前記地図データ上に入力されたキー情報と、当該キー情報が入力された位置を対応付ける手段と、前記店舗情報が掲載されたページにおける掲載位置と前記キー情報との関係を示す掲載データを読み込み、掲載位置に従って掲載順を決定して前記キー情報に掲載番号を割り振る手段と、前記キー情報に割り振られた掲載番号を、前記キー情報に代えて前記地図データ上に流し込み入力する手段を有することを特徴とする。
【０００９】
【発明の実施の形態】
以下、本発明の好適な実施形態について、図面を参照して詳細に説明する。
図１は、本発明の店舗情報登録システムの一実施形態を示す構成図である。図１において、１はＤＢ（データベース）サーバー、２は情報入力用クライアント、３は地図作成用クライアントである。データベースサーバー１は、地図データ１ａ、店舗データ１ｂ、掲載データ１ｃをデータベースとして管理する機能を有すると共に、情報入力用クライアント２、地図作成用クライアント３とネットワーク回線を介してデータの送受信を行う機能を有する。情報入力用クライアント２、地図作成用クライアント３は共に、入力機器、表示機器等を有するコンピュータ端末であり、それぞれ情報入力用、地図作成用の専用のソフトウェアを搭載している。
【００１０】
ＤＢサーバー１内の地図データ１ａは線画データの形式で管理されており、この線画データに加え、種々の情報を有する複数のレイヤーを有することが可能になっている。この地図データ１ａは地図作成用クライアント３により作成され、適宜修正が行われる。また、店舗データ１ｂはユニークキーであるＩＤで管理され、店舗１つに対して１つのレコードが与えられている。図２に店舗データ１ｂの一例を示す。図２においては５つのフィールドが示されており、左端から「ＩＤ」、「掲載番号」、「店舗名」、「住所」、「ＴＥＬ」となっている。「ＩＤ」は上述のように、各店舗を管理するためのユニークキーである。「掲載番号」は各店舗の情報冊子への掲載順を示す番号である。「店舗名」、「住所」、「ＴＥＬ」は各店舗の名称、住所、電話番号を示すものである。
【００１１】
次に、図３のフローチャートを用いて、図１に示す店舗情報登録システムの処理動作を説明する。店舗情報冊子を作成する場合、まず、掲載する店舗情報を情報入力用クライアント２より入力して店舗データ１ｂとして登録する（ステップＳ１）。この段階では、掲載番号フィールド以外の入力可能な情報が入力されるので、店舗データ１ｂは図２（ａ）に示すような状態となる。
【００１２】
続いて、掲載順番を決定するフィールドを情報入力用クライアント２により指定する。すると、ＤＢサーバー１が指定されたフィールドでソートを行う（ステップＳ２）。例えば、図２（ａ）に示したような店舗データ１ｂにおいて、店舗名順に掲載したいと考えた場合、ソートを行うフィールドとして店舗名を指定すると、ＤＢサーバー１は、店舗名の文字コード順にソートを行なう。この結果、店舗データ１ｂは図２（ｂ）に示すように店舗名順にソートされる。また、２つ以上のフィールドを組み合せてソートを行うことも可能である。この場合は、各フィールドの優先順位を指定してこの優先順位に従って順にソートを行う。例えば、図２には示していないが、最寄り駅のフィールド、店舗の種類（飲食店の和・洋・中など）のフィールドがある場合には、この順序でソートの指定を行うことにより、情報冊子としては、店舗情報が最寄り駅毎に分類され、さらに同一最寄り駅の情報については、和・洋・中などに分類された非常に利用し易い編集が行われることになる。
【００１３】
ソートが行われたら、ＤＢサーバー１により店舗データ１ｂ内の掲載番号フィールドに掲載番号がレコードの順序に従って自動的に入力される（ステップＳ３）。掲載番号が入力された状態の店舗データ１ｂを図２（ｃ）に示す。このとき、店舗データ１ｂに掲載するか否かを指定するためのフラグ情報を入力可能なフィールドを設けておくことにより、掲載しないレコードについては、掲載番号フィールドを空欄のままにしておくこともできる。
【００１４】
次に、掲載する地図データ１ａを選択して情報入力用クライアント２に地図データ１ａが有する線画地図を表示させる（ステップＳ４）。この時点における地図データ１ａの上から見た状態（情報入力用クライアント２に表示されている状態）、横から見た状態（概念図）を図４（ａ）に示す。この時点では、図４（ａ）の右側の図に示すように、地図データ１ａは線画地図だけしか有していないため、図４（ａ）の左側の図に示すように、線画地図情報のみが表示される。
【００１５】
続いて、線画地図上にレイヤーを１つ置き（レイヤー１とする）、線画地図上の店舗位置に対応するレイヤー１上の点にテキストボックスを配置し、各テキストボックスに対応する各店舗のＩＤを入力する（ステップＳ５）。この時点で、地図データ１ａは、図４（ｂ）の右側に示すような構造となる。すなわち、線画地図上の矢印で示した店舗位置に対応するレイヤー１上の点にＩＤが付された状態となる。このとき、表示画面には、図４（ｂ）の左側の図に示すように、線画地図上の各店舗が存在する位置に各店舗のＩＤが付された状態が表示される。
【００１６】
地図データ１ａ上に位置する全ての店舗のＩＤを入力したら、レイヤー１の複製（レイヤー２とする）を作成し、レイヤー１を非表示とする（ステップＳ６）。この時点で、地図データ１ａは、図４（ｃ）の右側に示すような構造となる。すなわち、線画地図上の矢印で示した店舗位置に対応するレイヤー１、レイヤー２上の点にＩＤが付された状態となる。ただし、レイヤー１上のＩＤは非表示となっている。このとき、表示画面には、図４（ｃ）の左側の図に示すように、線画地図上の各店舗が存在する位置に各店舗のＩＤが付された状態が表示される。これは、図４（ｂ）の左側の図と同一であるが、図４（ｂ）において表示されているのはレイヤー１上のＩＤであるのに対し、図４（ｃ）において表示されているのはレイヤー２上のＩＤである点が異なっている。これ以降、レイヤー１は新たに店舗の増減または位置変更などがあった場合にＩＤの変更等を行うために使用するものとし、レイヤー１のコピーであるレイヤー２は、ＩＤから掲載番号等の指定されたフィールドのデータを流し込むために使用する。ステップＳ４からステップＳ６までの作業は、掲載順番は問わないためステップＳ１からステップＳ３の店舗データ１ｂについての処理作業と並行して行うことが可能である。
【００１７】
この時点での地図データ１ａの表示状態と店舗データ１ｂの関係を図５（ａ）に示す。この時点では、地図上の店舗位置には、店舗データ１ｂ内の各店舗のＩＤが表示されている。この状態で情報入力用クライアント２において、流し込むフィールドを指定してデータ流し込み実行の指示を行うと、指定したフィールドのデータが地図データ１ａのレイヤー２のＩＤを表示したテキストボックスに流し込まれ、ＩＤに代わって表示される（ステップＳ７）。例えば、掲載番号フィールドが指定された場合は、図５（ｂ）に示すように地図上の店舗位置には、掲載番号が表示される。図５（ｂ）の例では、全てのテキストボックスに掲載番号の流し込みを行ったが、選択したテキストボックスにのみ流し込みを行うようにすることも可能である。
【００１８】
流し込んだデータを確認し（ステップＳ８）、修正の必要がない場合は、地図データ１ａの作成を完了する。データの修正の必要がある場合は、その修正が店舗の追加であるか、削除であるかを判断する（ステップＳ９）。
【００１９】
ステップＳ９において、店舗追加である場合は、店舗データ１ｂについては図３中▲１▼で示すようにステップＳ１に戻って、追加する店舗に関する情報を入力する。また、地図データ１ａについてはレイヤー２を消去した後、レイヤー１を表示させ、新たな店舗のＩＤ追加を行う（ステップＳ１０）。地図データ１ａについては続いて図３中▲２▼に示すようにステップＳ６の処理が行われる。
【００２０】
ステップＳ９において、店舗削除である場合は、店舗データ１ｂについては図３中▲１▼で示すようにステップＳ１に戻って店舗データの入力（この場合は実際には該当する店舗のレコードを削除）を行なう。また、地図データ１ａについてはレイヤー２上の該当する店舗をテキストボックスごと削除する（ステップＳ１１）。地図データ１ａについては、店舗データ１ｂに対するステップＳ３の処理による掲載番号の再決定後に、ステップＳ７の処理が行われる。
【００２１】
上記の例では、指定されたフィールドに従ってソートすることにより掲載順を決定したが、掲載順をフィールドのデータで決定しない場合がある。このような場合の掲載順の決定と店舗データ１ｂの掲載番号フィールドへの入力について次に説明する。例えば、フィールドのデータに依らず、編集者が各店舗情報の掲載位置を決定した場合、編集者は、情報入力用クライアント２により掲載データ１ｃ内の各掲載位置に、掲載すべき店舗のＩＤを入力する。ここで、掲載位置にＩＤが入力された状態の掲載データ１ｃを図６（ａ）に示す。図６（ａ）の掲載データ１ｃは店舗情報冊子の見開き状態を示しており、左ページには上からＩＤ「10000004」「10000002」「10000006」が入力されており、右ページには上からＩＤ「10000001」「10000003」「10000008」が入力された状態となっている。この掲載データ１ｃは各ページの上から順に掲載順を決定するように設定されているため、ＩＤが入力された状態で、情報入力用クライアント２により掲載番号決定の指示を行うと、図６（ｂ）に示すように掲載データ１ｃ内の各ＩＤの前に掲載番号が割り振られる。掲載番号を割り振る方法としては、方向を指示することで一意に決めることができる。左ページから始まる場合には、左上を起点として、上の段から順に、同一の段においては左から順に割り振る場合と、左の列から順に、同一の列においては上から順に割り振る場合の２通りが一般的である。また、右ページから始まる場合には、右上を起点として、上の段から順に、同一の段においては右から順に割り振る場合と、右の列から順に、同一の列においては上から順に割り振る場合の２通りが一般的である。これらは、それぞれ予め設定しておくことにより自動的に割り振ることが可能である。
【００２２】
続いてデータベースサーバー１が掲載データ１ｃから掲載番号とＩＤの抽出を行い、抽出されたＩＤと店舗データ１ｂ内のＩＤのマッチングを行い、店舗データ１ｂ内の掲載番号フィールドに対応する掲載番号を入力する。店舗情報冊子の制作の場合、一度作成された紙面上にて追加、削除の指示を受けるため、紙面上のデータで削除された場合に、改めて番号を振り直す上述の処理を実行することにより、その状態での最新掲載番号を得ることができる。このようにして得られる店舗データ１ｂ内の掲載番号は、地図データ１ａに流し込まれるため、最新掲載番号を有する地図データ１ａが得られる。
【００２３】
以上、本発明の好適な実施形態について説明したが、本発明は上記実施形態に限定されず、種々の変更が可能である。例えば、上記実施形態では、図１に示すように情報入力用クライアント２、地図作成用クライアント３の２つの端末を用いて処理を行なったが、これらの機能を有するソフトウェアを１つの端末に組み込むことにより、１つの端末で上記の全操作を行なうようにしても良い。また、ＤＢサーバー１には複数の情報入力用クライアント、地図作成用クライアントを接続することも可能である。また、図３に示したステップＳ２、Ｓ３、Ｓ７などの機能はＤＢサーバー１側ではなく、情報入力用クライアント２側に搭載するようにすることも可能である。
【００２４】
また、上記実施形態では、図３のステップＳ７において地図上のＩＤに代えて掲載番号を流し込むようにしたが、店舗データ１ｂの他のフィールドを指定することにより、指定したフィールドのデータを流し込むことが可能である。例えば、店舗データ１ｂに店舗を掲載したページのフィールドを設けておき、このフィールドを指定しておくことにより、地図上の店舗位置に掲載ページを流し込むことも可能である。
【００２５】
【発明の効果】
以上、説明したように本発明によれば、地図ページを有する店舗情報冊子の作成工程において、地図上における店舗位置の指定を行い、この地図上の店舗位置に、店舗データのキー情報を入力し、店舗データを掲載順にソートして各店舗の掲載番号を決定し、この掲載番号を地図上に入力されたキー情報に代えて流し込むようにしたので、キー情報の地図上への店舗位置への入力により店舗データ内の各店舗のレコードと地図上の店舗位置を対応付けておき、店舗情報の追加・削除を繰り返し、掲載すべき店舗情報が決定した後、店舗データを掲載順にソートして最終的な掲載番号を地図上に流し込むことが可能になる。そのため、最終的な店舗情報が揃うのを待って地図上に掲載番号を入力する必要がなく、随時店舗情報が入る度に入力することができ、店舗情報の追加・削除の必要が生じた場合も、ソートを行なうことにより、再度掲載番号を振り直すことが可能になり、その結果店舗情報冊子の作成を効率的に行なうことが可能になる。
【図面の簡単な説明】
【図１】本発明の店舗情報登録システムの一実施形態を示す構成図である。
【図２】店舗データ１ｂの一例を示す図である。
【図３】本発明の店舗情報登録方法のフローチャートである。
【図４】地図データ１ａの上から見た状態、横から見た状態を示す図である。
【図５】地図データ１ａの表示状態と店舗データ１ｂの関係を示す図である。
【図６】掲載データ１ｃを示す図である。
【符号の説明】
１・・・データベースサーバー
１ａ・・・地図データ
１ｂ・・・店舗データ
１ｃ・・・掲載データ
２・・・情報入力用クライアント
３・・・地図作成用クライアント
【図１】
0004417504.tif 000002
【図２】
0004417504.tif 000003
【図３】
0004417504.tif 000004
【図４】
0004417504.tif 000005
【図５】
0004417504.tif 000006
【図６】
0004417504.tif 000007